(57)【要約】   カーポート等の屋根が強風にあおられて破損したりする被害を防止するために、簡単な屋根構造で風圧を緩和する屋根を提供する。【課題】  カーポート等の屋根が、強風に遭遇した時に、その風圧によってカーポート等の屋根の一部が開放されるようにして、簡単な屋根構造で風圧を緩和し、且つ、既存のカーポート等をも容易に改造できる技術を提供しようとする。【解決手段】  全体を覆う屋根板に開閉部を配設し、開閉部が固定屋根部と可動屋根部からなり、固定屋根部は、屋根板を四角形に開口し、開口部を取り囲む防水内壁を開口部の縁に沿って立設してなり、可動屋根部は、上面に可動部屋根板を固定し、下面の周辺部に周辺部を取り囲む防水外壁を立設してなり、防水外壁を防水内壁に遊びを持って外嵌した状態で、可動屋根部を固定屋根部に開閉自在に枢着する。【選択図】  図２
2008025140.tif 000002
【特許請求の範囲】
【請求項１】
全体を覆う屋根板に開閉部を部分的に配設したカーポート等の屋根に於いて、開閉部が、固定屋根部と可動屋根部からなり、下記の（イ）、（ロ）、（ハ）、及び（ニ）から構成されることを特徴とするカーポート等の屋根。
（イ）固定屋根部は、
（ａ）屋根板に開口部を設け、この開口部の周辺部が母屋等に固定されており、
（ｂ）開口部の周辺部に、開口部の縁に沿って開口部を取り囲む防水内壁を立設してなり、
（ロ）可動屋根部は、四角形の可動部屋根板の周辺部下方に可動部屋根板の外縁に沿って周辺部を囲繞する防水外壁を立設してなり、
（ハ）可動屋根部の防水外壁を固定屋根部の防水内壁に遊びを持って外嵌した状態で、可動屋根部を固定屋根部に開閉自在に枢着し、
（ニ）可動屋根部の開き角度を一定角度以下に規制する。
【発明の詳細な説明】
【技術分野】
【０００１】
本発明は、屋外に設置されたカーポート等の屋根に関する。
【背景技術】
【０００２】
本発明の対象は、支柱に梁等を介してプラスチック等の屋根材を取り付けて屋外に設置し、屋根の上側は勿論、下側をも風が吹き抜ける構造の屋外屋根である。一時的に材料を置く場所やカーポート、その他これに類するものがあり、以下「カーポート等」と呼ぶ。従来、カーポート等は、梁と母屋の上に塩ビやポリエステルの板、アクリル板、又は、ポリカーボネート板などの屋根板が固定されている構造が普通で、風が吹き通るから強風にあおられると屋根が風圧によって破損したり、梁の付け根が折れるなどの被害が発生する。これに対応して、屋根の一部または全部を開閉自在の構造にして、強風が予想されるときにはあらかじめ適宜に屋根を開放しておき、強風時に屋根にかかる風圧を減少させる、と云う技術の開示がある（特許文献１）。また、屋根に所要数の吹き抜け用傾斜板を枢着し、強風時の風圧によって傾斜板を上方へ吹き上げて風圧を減少させる、と云う技術の開示がある（特許文献２）。
【特許文献１】特開平６−２４０８９８号公報
【特許文献２】特開昭５３−１２９４２９号公報
【発明の開示】
【発明が解決しようとする課題】
【０００３】
本発明は、強風による屋根の風圧を減少させるために、カーポート等の屋根に開閉部分を配設しようとするものである。しかしながら、特許文献１のように、機械的な開閉機構や開閉装置により屋根の開放を行う場合は、機構や装置を取り付けるために構造が複雑になり、費用もかかる上に、あらかじめ風力を予測して適宜範囲の開放をしておくと云う手順になり、予測の的確性に問題が出る。更に、屋根の開閉構造を有しない既存のカーポート等を改造して、このような機構や装置を取り付けるのは、一般に困難である。強風時の風圧により屋根を開放する特許文献２の技術においても、既存のカーポート等を改造して実施するには困難がある。
【０００４】
このような状況に鑑み、本発明は、強風に遭遇した時に、その風圧によってカーポート等の屋根の一部が開放されるようにした従来技術を改良して、簡単な屋根構造で風圧を減少し、且つ、屋根の開閉構造を有しない既存のカーポート等をも容易に改造できる屋根構造を提供しようとするものである。
【課題を解決するための手段】
【０００５】
全体を覆う屋根板に開閉部を部分的に配設したカーポート等の屋根に於いて、開閉部が、固定屋根部と可動屋根部からなり、下記の（イ）、（ロ）、（ハ）、及び（ニ）から構成されることを特徴とするカーポート等の屋根。
（イ）固定屋根部は、
（ａ）屋根板を四角形に開口し、この開口部の周辺部の屋根板が母屋等に固定されており、
（ｂ）開口部の周辺部に、開口部の縁に沿って開口部を取り囲む防水内壁を立設してなり、
（ロ）可動屋根部は、四角形の可動部屋根板の周辺部下方に可動部屋根板の外縁に沿って周辺部を囲繞する防水外壁を立設してなり、
（ハ）可動屋根部の防水外壁を固定屋根部の防水内壁に遊びを持って外嵌した状態で、可動屋根部を固定屋根部に開閉自在に枢着し、
（ニ）可動屋根部の開き角度を一定角度以下に規制する。
【０００６】
上記（イ）〜（ニ）からなる開閉部は、カーポート等の屋根の適宜の箇所に適宜数配置される。
【発明の効果】
【０００７】
本発明は、強風時にその風圧によって可動屋根部が開き、屋根にかかる風圧を緩和することによって強風が屋根を破損するのを防止する。可動屋根部は、強風が治まると自重で閉まり、元の状態に戻る。防水内壁は、開口部に雨水が流入するのを防止する。可動屋根部が閉鎖している時、防水内壁の突端の形状が当接する可動屋根部の形状と一致せずに若干の隙間があっても、防水外壁がこれをカバーして雨水の侵入を防止する。
【０００８】
本発明は、簡単な構造であるから既存のカーポート等の屋根を容易に改造することができる。
【実施例】
【０００９】
本発明の開閉部１は、カーポート等の屋根全体を覆う屋根板４の適宜の箇所に設けられており、固定屋根部２と可動屋根部３からなる。以下、実施例について説明する。
【００１０】
図５は、固定屋根部２の開口部周辺部６を受ける母屋等の形態例を説明する平面図である。一般に、カーポート等の屋根板は、梁の上に梁と直角方向に母屋を渡し、母屋の上に固定されていることが多い。この屋根板４に四角形の開口部５を形成したとき、この開口部５周辺部６を受けて固定できる部材が必要である。図４の（チ）は、母屋と母屋の間に桟を渡して形成される枠状の四角形ａｂｃｄ（斜線部分）が周辺部６を受ける部材であることを示し、（リ）は、母屋と母屋の間に桟を渡し、更に、桟と桟の間にも桟を渡して形成される枠状の四角形ａｂｃｄ（斜線部分）が周辺部６を受ける部材であることを示し、（ヌ）は、母屋と母屋の間に桟を渡し、更に、桟と桟の間にも２本の桟を渡して形成される枠状の四角形ａｂｃｄ（斜線部分）が周辺部６を受ける部材であることを示す。
本明細書においては、図５に見られるように、周辺部６を直接受ける部材である四角形ａｂｃｄ（斜線部分）の母屋や桟等を「母屋等」と称する。
【００１１】
図１は実施例の開閉部閉鎖時の外観斜視図、図２は実施例の開閉部開放時の外観斜視図、図３は、図１のＡ―Ａ線における実施例１の断面模式図であり、図４は、同じく実施例２の断面模式図である。図１と図２は、屋根板４を省略して示す。
【００１２】
［実施例１］
固定屋根部２では、屋根板４に四角形の開口部５を形成し、この開口部の周辺部６の屋根板が固定出来るように適宜に母屋等を設け、母屋等に固定する。
開口部の周辺部６の屋根板４に、開口部５を取り囲む防水内壁７を開口部５の縁に沿って立設する。開口部５の縁と防水内壁７との間には、若干の距離があっても良い。
防水内壁７の作成について二つの例を示す。一例は、断面Ｌ字型の棒を、立上り部を開口部５の縁に沿わせて開口部５の四辺に配置し、屋根板４に取付ける。立上り部が防水内壁７である。二例は、一例の四本の断面Ｌ字型の棒をそのまま一体にした形の枠状のものを用いる。枠の水平部分を開口部の周辺部６に取り付け、立上り部が防水内壁７である。
防水内壁７の材料は、金属、プラスチック、ゴム、木材、その他がある。屋根が曲面の場合は、防水内壁には、弾性ないし可撓性を有する材料を用いて曲面になじみ易くする。緩い曲面の屋根では、場合によっては、部分的には平面で対処できることもあり得る。
【００１３】
可動屋根部３は、額縁状の四角形の枠状体９の上面に、屋根板４と同材質の可動部屋根板１０を枠状体９一杯に固定する。枠状体９下面の周辺部には、外縁に沿って周辺部を囲繞する防水外壁８を立設する。防水外壁８と枠状体９の外縁との間には若干の距離があっても良い。
防水外壁８について二つの例を示す。一例は、断面逆Ｌ字型の棒を、立上り部を枠状体９の外縁に沿わせて枠状体９下面の四辺に取付ける。立上り部が防水外壁８である。防水外壁８の内法寸法は、防水内壁７に遊びを持って外嵌できる寸法とする。二例は、一例の枠状体９と防水外壁８とを一体にして用いる方法である。即ち、断面逆Ｌ字型で立上り部を外周に有する四角形の枠状体９１を用い、上面に可動部屋根板１０を固定する。立上り部が防水外壁８である。防水外壁の材料は、金属、プラスチック、ゴム、木材、その他がある。
【００１４】
開閉部１の閉鎖状態、即ち、固定屋根部２の防水内壁７に可動屋根部３の防水外壁８を遊びを持って外嵌した状態で、防水外壁のうち一辺を取付け辺１１として固定屋根部２に蝶番１２等で開閉自在に取り付ける。可動屋根部３の開き角度を規制する装置として例えばストッパー１３を防水外壁８の取付け辺１１に設ける。
【００１５】
可動屋根部の防水外壁８の取付け辺１１を固定屋根部に枢着することによって可動屋根部が開閉自在に取り付けられる。防水外壁８のうちどの一辺を取付け辺１１にするかにより、可動屋根部が、屋根の傾斜の高い部分で開閉作動をするか、屋根の傾斜の低い部分で開閉作動をするか、又は、屋根の傾斜に沿う部分で開閉作動をするか、の三通りが可能である。
【００１６】
固定屋根部に開口部を囲繞して設置される防水内壁は、開口部に雨水が流入するのを防止するためのものであり、その機能を果たす程度の厚みや高さがあれば良い。
可動屋根部に設置される防水外壁は、開閉部が閉鎖状態にあるとき時、雨が開口部に入らないようにガードするためのものであり、その機能を果たす程度の厚みや高さがあれば良い。ただ、防水外壁のうち取付け辺１１の強度は、取付け部分が開閉時の動きに充分耐えるように保証されなければならない。防水内壁の突端の形状とそれに当接する可動屋根部の形状とが一致せずに若干の隙間があっても防水外壁によって雨水の侵入が防止される。
いずれの場合でも必要に応じて防水シールを施す。
【００１７】
防水内壁と防水外壁のそれぞれの高さ関係によって、可動屋根部が閉鎖したときに防水内壁の先端が可動屋根部のどこかに当たるか、防水外壁の先端が固定屋根部のどこかに当たるかのいずれかであり、適宜に設計する。いずれにしろ、先端が当たる所には緩衝材を置いて衝撃や騒音を緩和せしめる。
【００１８】
可動屋根部は風圧を受けて屋根の上方に開き、風圧を緩和する。風圧が弱まると可動屋根部は自重で閉まる。従って、屋根部の開き角度は、屋根部の自重が閉まる方向に働く角度以内に規制する。屋根の傾斜の高い部分又は低い部分で開閉作動する場合は、理論的には、屋根部の開きが水平面に対して９０度未満でなければならない。その範囲内を前提として、実際には、屋根面に対して３０〜４０度程度の開き角度に規制しておけば充分である。
【００１９】
既存のカーポート等の屋根を改造するには、既存の屋根板の一部を切り取って開口部５を形成し、必要に応じて桟等を増設して図５のチ〜ヌタイプの母屋等を形成し、屋根板開口部の周辺が固定出来るようにする。
【００２０】
［実施例２］
可動屋根部３における他の実施例は、実施例１における枠状体９と可動部屋根板１０と防水外壁８とを一体に作成するものである。図４は、実施例１の図３に相応する実施例２の断面模式図である。四角形の可動部屋根板１０の下面外縁に防水外壁８が一体に設けられ、恰も箱の蓋のような形状である。この部分の構造の違いの他は、実施例１と同様である。
【図面の簡単な説明】
【００２１】
【図１】開閉部閉鎖時の外観斜視図
【図２】開閉部開放時の外観斜視図
【図３】図１のＡ―Ａ線における断面模式図（実施例１）
【図４】図１のＡ―Ａ線における断面模式図（実施例２）
【図５】固定屋根部の開口部周辺部を受ける母屋等の形態例を説明する平面図
【符号の説明】
【００２２】
１    開閉部
２    固定屋根部
３    可動屋根部
４    屋根板
５    開口部
６    開口部の周辺部
７    防水内壁
８    防水外壁
９    枠状体
９１    断面逆Ｌ字型の枠状体（防水外壁と一体）
１０    可動部屋根板
１１    取付け辺（防水外壁の一辺）
１２    蝶番
１３    ストッパー
【図１】
2008025140.tif 000003
【図２】
2008025140.tif 000004
【図３】
2008025140.tif 000005
【図４】
2008025140.tif 000006
【図５】
2008025140.tif 000007